(57)【要約】【課題】本発明は、ハードディスクドライブアダプターを提供することを目的とする。【解決手段】本発明のハードディスクドライブアダプターは、タワー型サーバーのマザーボードと複数のハードディスクドライブを電気的に接続するために用いられ、ハウジングと、前記ハウジングの内部に収容される第一コネクター、第二コネクター及び信号再生回路とを備え、前記第一コネクターは、前記マザーボードに電気的に接続され、前記第二コネクターは、複数の前記ハードディスクドライブに電気的に接続され、前記信号再生回路は、前記第一コネクターと前記第二コネクターの間に電気的に接続されて、前記マザーボードからの信号を複数の同じ信号に再生するために用いられる。【選択図】図１
2013025790.tif 000002
【特許請求の範囲】
【請求項１】
タワー型サーバーのマザーボードと複数のハードディスクドライブを電気的に接続するために用いられるハードディスクドライブアダプターであって、
ハウジングと、前記ハウジングの内部に収容される第一コネクター、第二コネクター及び信号再生回路とを備え、前記第一コネクターは、前記マザーボードに電気的に接続され、前記第二コネクターは、複数の前記ハードディスクドライブに電気的に接続され、前記信号再生回路は、前記第一コネクターと前記第二コネクターの間に電気的に接続されて、前記マザーボードからの信号を複数の同じ信号に再生するために用いられることを特徴とするハードディスクドライブアダプター。
【請求項２】
前記信号再生回路は信号再生チップを備え、前記信号再生チップは、１つの信号入力端及び４つの信号出力端を備え、前記第一コネクターは、１つの第一入力ピン及び１つの第一出力ピンを備え、前記第一入力ピンは、前記マザーボードに電気的に接続され、前記第一出力ピンは、前記信号入力端に電気的に接続され、前記第二コネクターは、４つの第二入力ピン及び４つの第二出力ピンを備え、各々の前記第二入力ピンは、対応する１つの前記信号出力端に電気的に接続され、各々の前記第二出力ピンは、対応する１つの前記ハードディスクドライブに電気的に接続されることを特徴とする請求項１に記載のハードディスクドライブアダプター。
【請求項３】
前記第二コネクターの各々の前記第二出力ピンに前記信号再生回路を接続することができることを特徴とする請求項２に記載のハードディスクドライブアダプター。
【請求項４】
前記信号再生回路は、前記信号再生チップに電力供給する電源回路をさらに備えることを特徴とする請求項２に記載のハードディスクドライブアダプター。
【発明の詳細な説明】
【技術分野】
【０００１】
本発明は、ハードディスクドライブアダプターに関するものである。
【背景技術】
【０００２】
タワー型サーバーのハードディスクドライブインターフェースの数は有限であるので、さらに多いハードディスクドライブを接続するために、ＳＡＴＡインターフェースカードをＰＣＩＥ（Ｐｅｒｉｐｈｅｒａｌ  Ｃｏｍｐｏｎｅｎｔ  Ｉｎｔｅｒｃｏｎｎｅｃｔ−Ｅｘｐｒｅｓｓ）設備のスロットに挿入して使用する。
【発明の概要】
【発明が解決しようとする課題】
【０００３】
しかし、ＰＣＩＥ設備のスロットも少ないので、タワー型サーバーに接続できるハードディスクドライブの数は制限されている。
【０００４】
本発明の目的は、前記課題を解決し、タワー型サーバーに通用され、タワー型サーバーにさらに多いハードディスクドライブを接続することができるハードディスクドライブアダプターを提供することである。
【課題を解決するための手段】
【０００５】
本発明に係るハードディスクドライブアダプターは、タワー型サーバーのマザーボードと複数のハードディスクドライブを電気的に接続するために用いられ、ハウジングと、前記ハウジングの内部に収容される第一コネクター、第二コネクター及び信号再生回路とを備え、前記第一コネクターは、前記マザーボードに電気的に接続され、前記第二コネクターは、複数の前記ハードディスクドライブに電気的に接続され、前記信号再生回路は、前記第一コネクターと前記第二コネクターの間に電気的に接続されて、前記マザーボードからの信号を複数の同じ信号に再生するために用いられる。
【発明の効果】
【０００６】
従来の技術に比べて、本発明のハードディスクドライブアダプターは、ＰＣＩＥ設備のスロットを占用しなく、直接にタワー型サーバーのマザーボードからの信号を複数の信号に再生することができ、従ってタワー型サーバーのマザーボードにさらに多いハードディスクドライブを接続することができる。
【図面の簡単な説明】
【０００７】
【図１】本発明の実施形態に係るハードディスクドライブアダプターの構造を示す図である。
【図２】本発明の実施形態に係るハードディスクドライブアダプターの機能ブロック図である。
【発明を実施するための形態】
【０００８】
以下、図面を参照して、本発明の実施形態について説明する。
【０００９】
図１及び図２を参照すると、ハードディスクドライブアダプター１００は、タワー型サーバーのマザーボード２００と複数のハードディスクドライブ３００を電気的に接続するために用いられる。前記ハードディスクドライブアダプター１００は、ハウジング１０、第一コネクター２１、第二コネクター２２及び信号再生回路３０を備える。  
【００１０】
前記ハウジング１０は、矩形状であり、その形状及び寸法は、前記ハードディスクドライブ３００の形状及び寸法と同じであるので、前記ハウジング１０をハードディスクドライブブラケット（図示せず）に固定することができる。
【００１１】
前記第一コネクター２１は、１つの第一入力ピン２１１及び１つの第一出力ピン２１２を備える。前記第一入力ピン２１１は、前記マザーボード２００に電気的に接続される。前記第二コネクター２２は、４つの第二入力ピン２２１及び４つの第二出力ピン２２２を備える。各々の前記第二出力ピン２２２は、対応する１つの前記ハードディスクドライブ３００に電気的に接続される。前記第一コネクター２１及び前記第二コネクター２２は、全て前記ハウジング１０の内部に固定される。前記第一入力ピン２１１及び４つの前記第二出力ピン２２２は、前記ハウジング１０の内部から外部に伸び出すことができる。他の実施形態において、前記第二出力ピン２２２の数は４つに限定されるものではない。
【００１２】
前記信号再生回路３０は、前記ハウジング１０の内部に収容され、前記マザーボード２００からの信号を４つの同じ信号に再生するために用いられる。前記信号再生回路３０は、信号再生チップ３１及び電源回路３６を備える。前記信号再生チップ３１は、第一電源入力端３１１、第二電源入力端３１２、信号入力端３１３及び４つの信号出力端３１４を備える。前記電源回路３６は、第一電源出力端３６１及び第二電源出力端３６２を備え、前記信号再生チップ３１に異なる２つの電源信号を提供するために用いられる。前記第一電源出力端３６１は、前記第一電源入力端３１１に電気的に接続され、前記第二電源出力端３６２は、前記第二電源入力端３１２に電気的に接続される。前記信号入力端３１３は、前記第一コネクター２１の第一出力ピン２１２に電気的に接続される。４つの前記信号出力端３１４は、前記第二コネクター２２の４つの第二入力ピン２２１にそれぞれに電気的に接続される。本実施形態において、前記第一電源出力端３６１の出力電圧は１．８Ｖであり、前記第二電源出力端３６２の出力電圧は３．３Ｖである。前記信号再生チップ３１の型番はＳｉｌ３７２６ＣＢＨＵである。他の実施形態において、前記信号再生チップ３１の信号出力端３１４の数は４つ以上であり、従って前記マザーボード２００からの信号を４つ以上の信号に再生することができる。
【００１３】
本実施形態において、前記ハードディスクドライブ３００は、ＳＡＴＡ信号を使用して信号を伝送し、前記第一コネクター２１及び前記第二コネクター２２は、ＳＡＴＡ信号に対応するコネクターである。他の実施形態において、前記ハードディスクドライブ３００が他の類型の信号（例えば、ＵＳＢ信号、ＳＡＳ信号である）を使用すると、前記第一コネクター２１及び前記第二コネクター２２は、前記ハードディスクドライブ３００が必要とする類型の信号に対応する。
【００１４】
他の実施形態において、各々の前記第二出力ピン２２２に前記信号再生回路３０を接続することができ、従ってさらに多い信号を得ることができ、前記マザーボード２００にさらに多い前記ハードディスクドライブ３００を電気的に接続することができる。
【００１５】
本発明のハードディスクドライブアダプターは、ＰＣＩＥ設備のスロットを占用しなく、直接にタワー型サーバーのマザーボードからの信号を複数の信号に再生することができ、従ってマザーボードにさらに多いハードディスクドライブを接続することができる。本発明のハードディスクドライブアダプターのハウジングの形状及び寸法は、ハードディスクドライブの形状及び寸法と同じであるので、ハードディスクドライブアダプターのハウジングをハードディスクドライブブラケットに固定することができ、従ってタワー型サーバーの内部空間を占用しなく、タワー型サーバーの内部にさらに多い電子素子を収容することができる。
【００１６】
以上、本発明を実施形態に基づいて具体的に説明したが、本発明は、上述の実施形態に限定されるものではなく、その要旨を逸脱しない範囲において、種種の変更が可能であることは勿論であって、本発明の技術的範囲は、以下の特許請求の範囲から決まる。
【符号の説明】
【００１７】
１０  ハウジング
２１  第一コネクター
２２  第二コネクター
３０  信号再生回路
３１  信号再生チップ
３６  電源回路
１００  ハードディスクドライブアダプター
２００  マザーボード
２１１  第一入力ピン
２１２  第一出力ピン
２２１  第一入力ピン
２２２  第二出力ピン
３００  ハードディスクドライブ
３１１  第一電源入力端
３１２  第二電源入力端
３１３  信号入力端
３１４  信号出力端
３６１  第一電源出力端
３６２  第二電源出力端
【図１】
2013025790.tif 000003
【図２】
2013025790.tif 000004